(57)【特許請求の範囲】
【請求項１】
矩形状主板部の幅方向両端側縁に沿って、すくい側嵌合部と被せ側嵌合部とを曲成してなる金属製の屋根板において、
前記すくい側嵌合部は；
主板部からの延在位置に形成されたすくい側立上り部と、このすくい側立上り部の延在位置に形成されたすくい側嵌合アゴ部と、この嵌合アゴ部の延在位置から立ち上がるすくい側傾斜外辺、この傾斜外辺上端から略水平に張り出したすくい側頂辺、およびこの頂辺から下向きに形成されたすくい側傾斜内辺と、そしてこの傾斜内辺の延在位置に形成されたすくい側引掛け辺、とによって構成され、
前記被せ側嵌合部は；
主板部から立ち上がる被せ側立上り部に対し、この被せ側立上り部の延在位置に形成された、被せ側中央凹部ならびにこの中央凹部を挟むその両側に、被せ側第１凸部および被せ側第２凸部を連設してなるものであって、
その第１凸部は、前記被せ側立上り部の延在位置に形成された被せ側第１嵌合アゴ部と、この第１嵌合アゴ部の延在位置に略水平に張り出した被せ側第１頂辺、この頂辺端部から曲成された被せ側第１立下り辺、およびこの第１立下り辺下縁に形成された被せ側第１傾斜辺とによって構成され、
前記第２凸部は、この被せ側第１傾斜辺の延在位置に略水平に張り出した前記中央凹部を介して、前記第１凸部と連結されていて、この中央凹部から曲成された被せ側第２傾斜辺、この傾斜辺上端から立ち上げられた被せ側第２立上り辺、この立上り辺上端から曲成された被せ側第２頂辺、この第２頂辺端部から曲成された被せ側第２嵌合アゴ部および、この第２嵌合アゴ部下縁から外側に向って折返して形成された被せ側引掛け辺からなることを特徴とする嵌合式金属製屋根板。
【請求項２】
前記すくい側立上り部および被せ側立上り部は、それぞれ少なくとも１段の折曲部を有することを特徴とする請求項１に記載の嵌合式金属製屋根板。
【請求項３】
前記主板部およびその側縁に沿って形成されたすくい側嵌合部および被せ側嵌合部の裏面に断熱材が貼着されていることを特徴とする請求項１または２に記載の嵌合式金属製屋根板。
【請求項４】
請求項１〜３のいずれか１に記載の嵌合式金属製屋根板を、屋根の梁上に一定の間隔で固定された受金具に嵌め入れて屋根葺してなる屋根板嵌合構造であって、
前記受金具は、上部固定金具と台形状門形の下部固定金具とを着脱可能に締結してなる構造を有し、上部固定金具は、屋根板のすくい側嵌合部ならびに被せ側嵌合部に対応してそれぞれ、主板の幅方向両側端部を突設してなる第１固定部と第２固定部とを具えてなり、
第１固定部に、一の屋根板の被せ側嵌合部の被せ側第１凸部を嵌着し、
第２固定部に、他の屋根板のすくい側嵌合部と、その嵌合部に被せるようにして、前記一の屋根板の被せ側嵌合部の被せ側第２凸部とを嵌着してなることを特徴とする嵌合式屋根構造。
【請求項５】
前記受金具は、上部固定金具の第１固定部と第２固定部が、略対称の形状を有し、主板の側縁から張り出し成形された金具傾斜辺と、この傾斜辺の上端に形成した金具アゴを有し、その金具アゴの延在上部に立上がる金具立上り辺と、この立上り辺の上縁から略水平に張り出した金具頂辺、とからなる逆Ｌ形嵌合受けを設けてなるものであることを特徴とする請求項４に記載の嵌合式屋根構造。
【請求項６】
前記上部固定金具の第２固定部の、金具傾斜辺上には、回転防止用突起が設けられていることを特徴とする請求項４または５に記載の嵌合式屋根構造。
【請求項７】
前記受金具は、上部固定金具の第１固定部が、主板の側縁に形成された金具第１傾斜辺と、この傾斜辺の上端に立上げられた金具第１立上り辺と、この立上り辺の上縁から張り出した金具第１頂辺と、この頂辺外縁から下向きに張り出し成形された金具第１引掛け辺とを具えてなり、
一方、第２固定部は、主板の側縁から外側に張り出し形成された金具第２傾斜辺と、この傾斜辺の上端に立ち上げられた金具第２立上り辺と、この立上り辺の上縁から下向きに張り出し形成された金具第２引掛け辺と、を具えてなることを特徴とする請求項４に記載の嵌合式屋根構造。
【請求項８】
請求項１〜３のいずれか１に記載の嵌合式金属製屋根板と、梁上に固定した請求項４〜６のいずれか１に記載の受金具を用いて嵌合式屋根構造の施工を行う方法において、
一の嵌合式金属製屋根板のすくい側嵌合部を、前記受金具の上部固定金具の第２固定部に、すくい側引掛け辺を回し込みながら落し入れて該金具に嵌め入れた後、すくい側嵌合アゴ部と、上部固定金具の金具第２アゴとを嵌着させて、一の屋根板を略水平になるように支持する第１工程と、
次に、他の嵌合式金属製屋根板の被せ側嵌合部の被せ側第１凸部と被せ側第２凸部をそれぞれ、第１工程後の、前記上部固定金具の第１固定部と第２固定部上に位置するように載置した後、当該屋根板の、被せ側第１嵌合アゴ部と、上部固定金具の金具第１アゴとが嵌まり合うように落とし込み、ひき続き当該屋根板の被せ側第２凸部が、第１工程において上部固定金具上に嵌着させたすくい側嵌合部に重合するまで、この屋根板を回し込む第２工程と、
前記他の屋根板の被せ側第２凸部を、その上方から押圧し、前記一の屋根板のすくい側嵌合アゴ部と、該他の屋根板の被せ側第２嵌合アゴ部とを嵌着する第３工程と、
からなることを特徴とする嵌合式屋根構造の施工方法。
【請求項９】
請求項１〜３のいずれか１に記載の嵌合式金属製屋根板と、梁上に固定した請求項４または７に記載の受金具を用いて嵌合式屋根構造の施工を行う方法において、
一の嵌合式金属製屋根板のすくい側嵌合部を、前記受金具の上部固定金具の第２固定部に、すくい側引掛け辺を回わし込みながら落し入れて、該金具の第２傾斜辺に嵌め入れた後、すくい側嵌合アゴ部と、第２固定部の第２引掛け辺とを嵌着させて一の屋根板を略水平になるように支持する第１工程と、
次に、他の嵌合式金属製屋根板を、被せ側嵌合部の被せ側第１凸部と被せ側第２凸部がそれぞれ、第１工程後の、前記上部固定金具の第１固定部と第２固定部上に位置するように載置した後、当該屋根板の被せ側第１嵌合アゴ部の折曲部と、上部固定金具の第１固定引掛辺先端とが重合する位置まで落とし込み、ひき続き当該屋根板の被せ側第２凸部が、第１工程において上部固定金具上に嵌着させたすくい側嵌合部に重合するまで、この屋根板を回わし込む第２工程と、
前記他の屋根板の被せ側第２凸部を、その上方から押圧し、前記一の屋根板のすくい側嵌合アゴ部と、該他の屋根板の被せ側第２嵌合アゴ部とを嵌着する第３工程と、
からなることを特徴とする嵌合式屋根構造の施工方法。
【発明の詳細な説明】
【技術分野】
【０００１】
この発明は、簡単かつ迅速に屋根葺施工ができるように改善された嵌合式金属製屋根板およびこの屋根板を用いた嵌合式屋根構造、およびその施工方法に関する。
【背景技術】
【０００２】
従来、屋根葺きの方法として、屋根の梁上に一定の間隔で取付けられた受金具に、金属製屋根板の幅方向の一側縁に設けられたすくい側嵌合部を嵌め入れ、さらに該すくい側嵌合部に、隣接する他の屋根板の側縁に設けられた被せ側嵌合部を重畳させて嵌め入れ、こうして金属製屋根板どうしを順次に接続して、ボルトレス状態（嵌合式）で屋根を葺き上げる施工方法が知られている（特許文献１、２）。
【０００３】
このような嵌合式の屋根葺き構造では、受金具が、梁上に一定の間隔をおいて取付けられており、例えば、特許文献１では、受金具のある部分で、すくい側嵌合部と被せ側嵌合部とをしっかり嵌め合わせると共に、受金具の無い場合でも、被せ側嵌合部を嵌合のため押圧すると、図１（ａ）に示すように、すくい側嵌合部が支点Ａを起点として下向きに曲がるものの、被せ側嵌合部とすくい側嵌合部とを簡単に嵌合することができるように構成されている。
【０００４】
しかし、特許文献１の屋根葺き構造では、主板部に風の吹き上げによって上向きの圧力が生じた場合に、支点Ａを起点にして、すくい側嵌合部の遊離端Ｂに回転モーメントがかかり、遊離端Ｂが簡単に外れたり、また、作業者が屋根の上を歩いて、下向きの圧力が生じた場合にも、嵌合部が簡単に外れてしまうおそれがある。
【０００５】
一方、特許文献２では、屋根板どうしの接合部であるすくい側嵌合部と被せ側嵌合部とが、両アゴ嵌合構造を有するため、嵌合後は負圧に対しても安定した強度を有するものの、左右アゴ部を開くようにして嵌合させる必要があるため、より大きい押圧力を要し、作業者への嵌合作業の負担が大きいという問題点があった。
【０００６】
また、特許文献２の嵌合構造の場合、すくい側嵌合部の遊離端Ｂを嵌合する際に、図１（ｂ）に示すような（ｌ＋ｌ’）の幅に相当する嵌合押圧を必要とし、受金具のない場合には、完全に嵌着できないことがあった。
【０００７】
しかも、このような嵌合式金属製屋根板の施工工事では、施工時に外側から判別することができないため、屋根板嵌合構造の良、不良を目視によって確認することができなかった。
【特許文献１】特許第３４２６５４８号公報
【特許文献２】特開平３−４８９８６号公報
【発明の開示】
【発明が解決しようとする課題】
【０００８】
そこで、本発明は、嵌合式金属製屋根板の施工に当たり、受金具がない個所での接合に当たって、被せ側嵌合部の嵌合押圧力に対するすくい側嵌合部の支持力を向上させると共に、風の吹き上げや、作業者の踏み込み等による押圧によっても嵌合構造に弛みが生じるようなことがなく、また、受金具と屋根板、および屋根板どうしの嵌合を屋根材を置いたまま、足で踏み込み、簡単かつ迅速に行うことのできる嵌合式金属製屋根板、嵌合式屋根構造および屋根葺き施工の方法を提案することを目的とする。
【課題を解決するための手段】
【０００９】
従来技術が抱えている上述した問題点を克服して、上記の目的を実現するため鋭意研究した結果、発明者らは、以下の要旨構成に係る本発明を開発した。即ち、本発明は、矩形状主板部の幅方向両端側縁に沿って、すくい側嵌合部と被せ側嵌合部とを曲成してなる金属製の屋根板において、前記すくい側嵌合部は；主板部からの延在位置に形成されたすくい側立上り部と、このすくい側立上り部の延在位置に形成されたすくい側嵌合アゴ部と、この嵌合アゴ部の延在位置から立ち上がるすくい側傾斜外辺、この傾斜外辺上端から略水平に張り出したすくい側頂辺、およびこの頂辺から下向きに形成されたすくい側傾斜内辺と、そしてこの傾斜内辺の延在位置に形成されたすくい側引掛け辺、とによって構成され、前記被せ側嵌合部は；主板部から立ち上がる被せ側立上り部に対し、この被せ側立上り部の延在位置に形成された、被せ側中央凹部ならびにこの中央凹部を挟むその両側に被せ側第１凸部および被せ側第２凸部を連設してなるものであって、その第１凸部は、前記被せ側立上り部の延在位置に形成された被せ側第１嵌合アゴ部と、この第１嵌合アゴ部の延在位置に略水平に張り出した被せ側第１頂辺、この頂辺端部から曲成された被せ側第１立下り辺、およびこの第１立下り辺下縁に形成された被せ側第１傾斜辺とによって構成され、前記第２凸部は、この被せ側第１傾斜辺の延在位置に略水平に張り出した前記中央凹部を介して、前記第１凸部と連結されていて、この中央凹部から曲成された被せ側第２傾斜辺、この傾斜辺上端から立ち上げられた被せ側第２立上り辺、この立上り辺上端から曲成された被せ側第２頂辺、この第２頂辺端部から曲成された被せ側第２嵌合アゴ部および、この第２嵌合アゴ部下縁から外側に向って折返して形成された被せ側引掛け辺からなることを特徴とする嵌合式金属製屋根板を提案する。
【００１０】
なお、本発明の上記屋根板においては、前記すくい側立上り部および被せ側立上り部は、それぞれ少なくとも１段の折曲部を有すること、および前記主板部およびその側縁に沿って形成されたすくい側嵌合部および被せ側嵌合部の裏面に断熱材が貼着されていることが、より好ましい解決手段を提供できる。
【００１１】
次に、本発明は、前記嵌合式金属製屋根板を、屋根の梁上に一定の間隔で固定された受金具に嵌め入れて屋根葺してなる屋根板嵌合構造であって、前記受金具は、上部固定金具と台形状門形の下部固定金具とを着脱可能に締結してなる構造を有し、上部固定金具は、屋根板のすくい側嵌合部ならびに被せ側嵌合部に対応してそれぞれ、主板の幅方向両側端部を突設してなる第１固定部と第２固定部とを具えてなり、第１固定部に、一の屋根板の被せ側嵌合部の被せ側第１凸部を嵌着し、第２固定部に、他の屋根板のすくい側嵌合部と、その嵌合部に被せるようにして、前記一の屋根板の被せ側嵌合部の被せ側第２凸部とを嵌着してなることを特徴とする嵌合式屋根構造を提案する。
【００１２】
なお、本発明の前記嵌合式屋根構造においては、
ａ．前記受金具は、上部固定金具の第１固定部と第２固定部が、略対称の形状を有し、主板の側縁から張り出し成形された金具傾斜辺と、この傾斜辺の上端に形成した金具アゴを有し、その金具アゴの延在上部に立上がる金具立上り辺と、この立上り辺の上縁から略水平に張り出した金具頂辺、とからなる逆Ｌ形嵌合受けを設けてなるものであること、
ｂ．前記上部固定金具の第２固定部の、金具傾斜辺上には、回転防止用突起が設けられていること、
ｃ．前記受金具は、上部固定金具の第１固定部が、主板の側縁に形成された金具第１傾斜辺と、この傾斜辺の上端に立上げられた金具第１立上り辺と、この立上り辺の上縁から張り出した金具第１頂辺と、この頂辺外縁から下向きに張り出し成形された金具第１引掛け辺とを具えてなり、
一方、第２固定部は、主板の側縁から外側に張り出し形成された金具第２傾斜辺と、この傾斜辺の上端に立ち上げられた金具第２立上り辺と、この立上り辺の上縁から下向きに張り出し形成された金具第２引掛け辺とを具えてなること、
が好ましい解決手段となる。
【００１３】
次に、本発明は、前記嵌合式金属製屋根板と、梁上に固定した前記受金具を用いて嵌合式屋根構造の施工を行う方法において、一の嵌合式金属製屋根板のすくい側嵌合部を、前記受金具の上部固定金具の第２固定部に、すくい側引掛け辺を回し込みながら落し入れて該金具に嵌め入れた後、すくい側嵌合アゴ部と、上部固定金具の金具第２アゴとを嵌着させて、一の屋根板を略水平になるように支持する第１工程と、次に、他の嵌合式金属製屋根板の被せ側嵌合部の被せ側第１凸部と被せ側第２凸部をそれぞれ、第１工程後の、前記上部固定金具の第１固定部と第２固定部上に位置するように載置した後、当該屋根板の、被せ側第１嵌合アゴ部と、上部固定金具の金具第１アゴとが嵌まり合うように落とし込み、ひき続き、当該屋根板の被せ側第２凸部が、第１工程において上部固定金具上に嵌着させたすくい側嵌合部に重合するまで、この屋根板を回し込む第２工程と、前記他の屋根板の被せ側第２凸部を、その上方から押圧し、前記一の屋根板のすくい側嵌合アゴ部と、該他の屋根板の被せ側第２嵌合アゴ部とを嵌着する第３工程と、からなることを特徴とする嵌合式屋根構造の施工方法を提案する。
【００１４】
さらに、本発明は、前記嵌合式金属製屋根板と、梁上に固定した前記受金具を用いて嵌合式屋根構造の施工を行う方法において、一の嵌合式金属製屋根板のすくい側嵌合部を、前記受金具の上部固定金具の第２固定部に、すくい側引掛け辺を回わし込みながら落し入れて、該金具の第２傾斜辺に嵌め入れた後、すくい側嵌合アゴ部と、第２固定部の第２引掛け辺とを嵌着させて一の屋根板を略水平になるように支持する第１工程と、次に、他の嵌合式金属製屋根板を、被せ側嵌合部の被せ側第１凸部と被せ側第２凸部がそれぞれ、第１工程後の、前記上部固定金具の第１固定部と第２固定部上に位置するように載置した後、当該屋根板の被せ側第１嵌合アゴ部の折曲部と、上部固定金具の第１固定引掛辺先端とが重合する位置まで落とし込み、ひき続き当該屋根板の被せ側第２凸部が、第１工程において上部固定金具上に嵌着させたすくい側嵌合部に重合するまで、この屋根板を回わし込む第２工程と、前記他の屋根板の被せ側第２凸部を、その上方から押圧し、前記一の屋根板のすくい側嵌合アゴ部と、該他の屋根板の被せ側第２嵌合アゴ部とを嵌着する第３工程と、からなることを特徴とする嵌合式屋根構造の施工方法を提案する。
【発明の効果】
【００１５】
上述した構成を採用した本発明では、嵌合式金属製屋根板の被せ側嵌合部を、中央の凹部を介して２つの嵌合凸部を有する構造としたことにより、この凹部の略垂直な内壁（立下げ辺）が、屋根板に対する風の吹き上げによる負圧に支持反力（壁反力）を発揮し、風や作業者の踏み込み等による押圧によっても屋根板が回転することがなく、嵌合が外れることや雨の侵入を防ぐことができる。
また、本発明では、一の屋根板のすくい側嵌合部上に、他の屋根板の被せ側嵌合部を被せるようにして嵌着する際、被せ側嵌合部の第２立上り辺を、すくい側嵌合部の傾斜内辺に、長さ方向に連続して沿わせるようにして嵌め入れることになるため、被せ側嵌合部の第２立上り辺が、すくい側嵌合部の支持壁となり、すくい側嵌合部が倒れたり、沈み込むことがなく、円滑かつ確実に屋根板どうしを嵌着させることができる。
また、受金具と屋根板および屋根板どうしはいずれも、１のアゴ部を介して嵌着されるため、両アゴ嵌合構造に比べて、アゴ部を開くための押圧力を小さく（１／２程度）することができる。
さらに、本発明の屋根板によれば、受金具と屋根板および屋根板どうしを、屋根板を回し込みながら落とし入れることにより嵌着することができる。このとき、後述する図８（ｂ）のようにして、すくい側嵌合部を回り込ませた際に、すくい側嵌合アゴ部がさらに下方へ落とし込まれるため、小さい嵌合押圧で簡単に屋根葺き施工することができる。
【発明を実施するための最良の形態】
【００１６】
以下に、この発明の好ましい実施形態を挙げて説明する。
本発明に係る屋根板１は、図２に示すように、金属製の矩形状主板部２の幅方向両側端に沿って凹凸状を形造る、すくい側嵌合部３と被せ側嵌合部４を有するものである。そして、この一の屋根板１のすくい側嵌合部３に対し、後述する受金具Ｆを介して他の屋根板１’の被せ側嵌合部４とを互いに嵌合させることにより、順次につなぎ合わせて、ボルトレス施工方式により、図３に示すように屋根葺きするものである。なお、本発明の屋根板およびその構造の説明は、主に該屋根板の断面形状を基準として述べるものである。
【００１７】
まず、前記すくい側嵌合部３は、屋根板１の主板部２の一方の側縁部の延在位置にあって、外側に向かって曲成され、斜め上向きに立ち上がるすくい側立上り部５の延在位置に設けられた部分である。その構造は、すくい側立上り部５の延在位置において、主板部２側に張り出すように設けられた突起部によって構成されるすくい側嵌合アゴ部６と、この嵌合アゴ部６の延在上部から、外側斜め上向きに立ち上がるすくい側傾斜外辺７と、この傾斜外辺７上端から外側に向って略水平に張り出したすくい側頂辺８と、この頂辺８の端縁から主板側の斜め下向きに折曲されたすくい側傾斜内辺９と、そしてこの傾斜内辺９の延在位置に外側に開くように屈曲形成されたすくい側引掛け辺１０とによって構成されている。
【００１８】
これに対し、屋根板主板部２の他方の側縁部に沿って形成される被せ側嵌合部４は、主板部２の延在位置にあって、外側斜め上向きに立ち上がる被せ側立上り部１３に対し、この被せ側立上り部１３の延在位置に形成された、被せ側中央凹部１８を挟むその両側に、被せ側第１凸部１１および被せ側第２凸部１２からなる２つの嵌合凸部を設けた点が特徴的な構成である。
【００１９】
まず、前記第１凸部１１は、被せ側立上り部１３の延在部にあって主板部２側に張り出す突起部によって構成される被せ側第１嵌合アゴ部１４と、この第１嵌合アゴ部１４の延在位置から外側に向って略水平に張り出した第１被せ側頂辺１５と、この頂辺１５遊端部から略垂直下向きに曲成された被せ側第１立下り辺１６と、この第１立下り辺下縁から外側斜め下向きに形成された被せ側第１傾斜辺１７とによって構成される。
【００２０】
そして、前記第２凸部１２は、この被せ側第１傾斜辺１７の延在位置にあって、外側に向って略水平に張り出した被せ側中央凹部１８を介して、第１凸部１１と連結され、全体として凹部を呈する断面形状を持っている。かかる被せ側嵌合部４の前記中央凹部１８からは、外側斜め上向きに形成された被せ側第２傾斜辺１９と、この傾斜辺１９上端から略垂直に立ち上がる被せ側第２立上り辺２０と、この立上り辺２０上端縁から曲成されて、外側に向って略水平に張り出した被せ側第２頂辺２１と、この第２頂辺２１の遊端部から外側に向って下向きに張り出し成形された被せ側第２嵌合アゴ部２２と、この嵌合アゴ部２２下縁から外側に向って折返して形成された被せ側引掛け辺２３とによって構成されている。
【００２１】
なお、すくい側立上り部５および被せ側立上り部１３には、いずれも少なくとも１段の折曲部を設ける。例えば、立上り部５、１３の中央部付近に大きな折曲部を設けてもよく、図２に示すように折曲部６０、６１、６２、６３からなる補強リブを設けてもよい。これによって屋根板１の剛性が増し、熱膨張の伸縮により発生する板鳴音の防止に効果的に対処させることができる。
【００２２】
また、主板部２およびその側縁部に沿って形成されたすくい側嵌合部３および被せ側嵌合部４の裏面には、断熱材を貼着することが好ましい。断熱材を貼着する範囲は、例えば、すくい側引掛け辺１０から被せ側第２立上り辺２０までとする。なお、断熱材の貼着により、屋根材の断熱性が増し、日射熱を防ぎ、室内の環境改善および省エネに寄与する。また、結露や騒音の防止も可能となる。
【００２３】
上記構成からなる本発明の嵌合式金属製屋根板１は、その両側端部の長手方向（前後方向）に沿って形成した筋状形状のすくい側嵌合部３および被せ側嵌合部４を、屋根の梁ｂ上にボルトや溶接等によって一定の間隔で固定された複数個の受金具Ｆに嵌め入れることにより、隣接する一の屋根板１と他の屋根板１’どうしを幅方向（左右方向）に順次に接合し、図３に示す屋根を施工する際に用いられる。
【００２４】
なお、図４に示すように、かかる受金具Ｆは、上部固定金具３０と台形状門形の下部固定金具３１とをボルト２９ナット６４等によって着脱可能に締結してなる構造を有する。そのうち、上部固定金具３０は、屋根板１のすくい側嵌合部３ならびに被せ側嵌合部４に対応する位置に、主板３４の幅方向両端部を、上述した嵌合アゴ６、１４、２２に対応するように外向きに突設してなる第１固定部３２と第２固定部３３とを設けてなり、一方、下部固定金具３１は、その底部をボルトや溶接等によって梁ｂ上に固定するものである。
【００２５】
そして、本発明にかかる嵌合式屋根構造を形成するに当たっては、前記上部固定金具３０の第１固定部３２に、一の屋根板１の被せ側嵌合部４の第１凸部１１を嵌着し、第２固定部３３には、他の屋根板１’のすくい側嵌合部３と、その嵌合部３の上から被せるようにして前記屋根板１の被せ側嵌合部４の第２凸部１２を重畳して嵌着することにより、屋根板の嵌合構造とすることができる。
【００２６】
なお、本発明においては、前記受金具Ｆの上部固定金具３０の形状が、図５に示すように、第１固定部３２と第２固定部３３とが略対称な形状からなる他、図４に示すように、第１固定部３２’と第２固定部３３’とが異なる非対称の形状からなるものを用いることができる。
【００２７】
以下、図４の受金具Ｆを用いた嵌合式屋根構造について説明する。
図４の受金具Ｆは、上部固定金具３０が主板３４の両側縁の延在部分を曲成して形成した第１固定部３２と第２固定部３３とを有する構造からなるものである。ここで、第１固定部３２と第２固定部３３とは、略対称な形状の逆Ｌ形嵌合受けであり、主板３４の側縁から、それぞれ斜め外向きに張り出し成形された金具傾斜辺３５、３９と、この傾斜辺３５、３９の上端から内向き上方に折り返して形成される外向き突状の金具アゴ３６、４０を有し、その金具アゴ３６、４０の延在上部には、やや内向きに立上がる金具立上り辺３７、４１と、この立上り辺３７、４１の上縁から互いに対向するように略水平に張り出した金具頂辺３８、４２とが連設されている。なお、第１固定部３２の金具アゴ３６と金具立上がり辺３７は、図６のように金具傾斜辺３５の上端から内向きにまっすぐに立ち上げて形成してもよい。
【００２８】
この逆Ｌ形嵌合受けからなる第１固定部３２に、一の屋根板１の被せ側嵌合部４の第１凸部１１が嵌着され、第２固定部３３には、他の屋根板１’のすくい側嵌合部３と、その嵌合部３の上にさらに被せるようにして、前記屋根板１の被せ側嵌合部４の第２凸部１２を嵌着することにより、図４の嵌合構造が形成される。そして、屋根板１、１’は、この逆Ｌ形嵌合受けからなる上部固定金具３０上端の金具頂辺３８、４２によって下支えされると共に、金具アゴ３６、４０に、屋根板１、１’のすくい側嵌合部３と被せ側嵌合部４の嵌合アゴ部６、１４、２２を嵌合させることで、受金具Ｆを介して雨水の侵入を効果的に防止できるように、強固に固定されることになる。
【００２９】
なお、図４に示す受金具Ｆを用いる場合には、上部固定金具３０の第２固定部３３の、金具第２傾斜辺３９上に、例えば三角状の回転防止用突起５１を設けることが好ましい。この回転防止用突起５１は、屋根板１’の主板部２に押圧が加わり、屋根板１が持ち上げられた場合に、下方向に傾いた屋根板１’の回転を抑える働きを担うものである。なお、回転防止用突起５１は、図７に示すように第１固定部３２の金具第１傾斜辺３５上に設けてもよい。
【００３０】
また、図７に示すように、上部固定金具３０の長さ方向両端部には、それぞれ主板３４、金具第１傾斜辺３５および金具第２傾斜辺３９に接するように、補強フランジ６５を設けることが好ましい。この補強フランジ６５は、上部固定金具３０に屋根板１および１’を嵌合する際に、押圧によって第１固定部３２と第２固定部３３とが上下方向に傾くのを抑えるために設けられるものである。
【００３１】
同様に、図５に示す受金具Ｆを用いた場合の本発明の嵌合式屋根構造について説明する。このタイプの受金具Ｆは、上部固定金具３０が図５に示すように、主板４３の両側縁部に曲成された第１固定部３２’と第２固定部３３’とを有するものである。その第１固定部３２’は、主板４３から外向き斜めに張り出し成形された金具第１傾斜辺４４と、この傾斜辺４４の上端から略垂直に立上がる金具第１立上り辺４５と、この立上り辺４５の上縁から外向きに略水平に張り出して成形された金具第１頂辺４６と、この頂辺４６の外縁から外側に向って曲成され、下向きに張り出し成形された金具第１引掛け辺４７とを具える。一方、第２固定部３３’は、主板４３の側縁から外向き斜めに張り出し成形された金具第２傾斜辺４８と、この傾斜辺４８の上端から略垂直に立ち上がる金具第２立上り辺４９と、この立上り辺４９の上縁から外側に向って屈曲され、下向きに張り出させて形成された金具第２引掛け辺５０とを具えてなる。
【００３２】
そして、図４の屋根板嵌合構造と同様に、第１固定部３２’に、一の屋根板１の被せ側嵌合部４の第１凸部１１が嵌着され、第２固定部３３’に、他の屋根板１’のすくい側嵌合部３と、その嵌合部３の上にさらに被せるようにして、前記屋根板１の被せ側嵌合部４の第２凸部１２を嵌着させることにより、本発明の嵌合式屋根構造を構築することができる。そして、屋根板１、１’は、上部固定金具３０の第１固定部３２’の頂辺４６と、第２固定部３３’の頂部によって下支えされると共に、第１固定部３２’の引掛け辺４７先端と、第２固定部３３’の引掛け辺５０先端に、そのすくい側嵌合部３と被せ側嵌合４の嵌合アゴ部６、１４、２２の突起部を嵌合させることで、受金具Ｆを介して強固に固定されることになる。
【００３３】
なお、図４の受金具Ｆの場合と同様、上部固定金具３０の長さ方向側端部には、主板４３、金具第１傾斜辺４４および金具第２傾斜辺４８に接するように、補強フランジ６５を設けることが好ましい。この補強フランジ６５は、上部固定金具３０に屋根板１および１’を嵌合する際に、押圧によって第１固定部３２’と第２固定部３３’とが上下方向に傾くのを抑えるために設けられるものである。
【００３４】
本発明では、図４および図５に示されるように、屋根板１の被せ側嵌合部４に、中央凹部１８を介して２つの嵌合凸部、即ち第１凸部１１、第２凸部１２を設け、該第１凸部１１によって受金具Ｆと強固に嵌着すると共に、第２凸部１２によって、受金具Ｆおよび他の屋根板１’のすくい側嵌合部とを強固に嵌着するように構成されている。
これにより、被せ側嵌合部４の第１凸部１１、第２凸部１２は、共に片アゴ構造となり、小さい押圧（弾性力）によって受金具Ｆおよびすくい側嵌合部３と簡単に嵌合することができると共に、従来技術（図１）よりもすくい側嵌合部３の遊端部の位置が、回転曲げモーメントの支点となる被せ側嵌合部４の引掛け辺２３に近くなり、すくい側嵌合部３に働く回転曲げモーメントが小さく、屋根板１の主板部２に押圧が加わった場合でも、すくい側嵌合部３の回転を防止することができるようになる。
【００３５】
また、本発明の嵌合式屋根構造では、中央凹部１８の延在位置にある略垂直な内壁である被せ側第２立上り辺２０と、すくい側嵌合部３の傾斜内辺９とが、長さ方向に連続して沿うように形成されている。このため、被せ側嵌合部４の被せ側第２立上り辺２０とすくい側嵌合部３の傾斜内辺９とが、屋根板１、１’の主板部２に加わった押圧を横から支えるように支持反力（壁反力）を発揮し、強風や台風等によって大きな負圧が加わったとしても、屋根板１、１’が浮き上がり、回転することがなく、嵌合状態を常に一定に保持することができる。
【００３６】
また、屋根板１’のすくい側嵌合部３上に、屋根板１の被せ側嵌合部４を重畳させる際、被せ側嵌合部４の立上り辺２０は、すくい側嵌合部３の傾斜内辺９を横から支持するようにして嵌め入れられるため、該立上り辺２０が支持壁の役割を果たし、したがって受金具の無い部分であっても、すくい側嵌合部３が、被せ側嵌合部４による嵌合押圧によって押し倒され、回転し、沈み込むようなことがない。
【００３７】
また、本発明では、すくい側嵌合部３の傾斜内辺９を、嵌合アゴ部６側に傾斜させたことにより、第２固定部３３、３３’に嵌合させたすくい側嵌合部３が、ズレ落ち難くなると共に、すくい側嵌合アゴ部６と、被せ側第２嵌合アゴ部２２とを嵌着させる際に、被せ側嵌合部の立上り辺２０を、すくい側嵌合部３の傾斜内辺９に沿って落とし込み易いという効果がある。
【００３８】
さらに、本発明では、すくい側嵌合部３に、傾斜外辺７を設け窪みを付けたことにより、すくい側嵌合部３と被せ側嵌合部４との間に隙間５２が形成され、この隙間５２が空気層となって、被せ側引掛け辺２３からの毛細管現象による浸水を防止することができる。
【００３９】
また、すくい側嵌合部３の引掛け辺１０は、外側に開くように形成されているため、受金具Ｆの第２固定部３３、３３’にすくい側嵌合部３を落とし込み易く、同様に、被せ側嵌合部４に傾斜辺１７、１９を設け、第１凸部１１と第２凸部１２の下部が開くように形成されているため、被せ側嵌合部４を受金具Ｆおよびすくい側嵌合部３に落とし込み易い。
【００４０】
次に、図４に示す上部固定金具３０に、屋根板１、１’を嵌合し、図３に示すような屋根を施工する方法について図８に基づいて説明する。
まず、第１工程では、上部固定金具３０の第２固定部３３上に、一の嵌合式金属製屋根板１’のすくい側嵌合部３を載置し（図８（ａ））、次いで、すくい側引掛け辺１０を回し込みながら落し入れた後、屋根板主板部２を幅方向（左右方向）に回転させる（図８（ｂ））と共に、すくい側嵌合部３の頂部を足で踏む等して押圧し、屋根板１’を主板部２が略水平になるようにすると同時に、すくい側嵌合アゴ部６と、受金具Ｆの金具第２アゴ４０とを、雨水や風の浸入を防止できるように確実に嵌着させる（図８（ｃ））。
【００４１】
第２工程では、他の嵌合式金属製屋根板１を、その被せ側嵌合部４の第１凸部１１と第２凸部１２とが、第１工程後の、上部固定金具３０の第１固定部３２と第２固定部３３上に位置するように載置し、次に、該屋根板１の被せ側第１凸部１１を押し下げて受金具Ｆの第１固定部３２に嵌め入れると同時に、被せ側第１１嵌合アゴ１４と、金具第１アゴ３６とを嵌め合わせる。そして、引き続き、該屋根板１の被せ側第２凸部１２を、第１工程において上部固定金具３０上に嵌着させた、すくい側嵌合部３に重合するまで、該屋根板１を回し込む（図８（ｄ））。
【００４２】
次に、第３工程では、すくい側嵌合部３側、即ち、上部固定金具３０の第２固定部３３側にある該被せ側第２凸部１２の、まず内側の被せ側第２立上り辺２０側を、すくい側嵌合部３の傾斜内辺９に沿わせるようにして押し下げたのち、外側の被せ側第２嵌合アゴ部２２側を押し下げることにより、被せ側嵌合アゴ部２２と、すくい側嵌合アゴ部６および金具アゴ４０とを嵌め合わせ（図８（ｅ））、上部固定金具３０への屋根板１、１’のすくい側嵌合部３と被せ側嵌合部４との重畳嵌合を果たして屋根葺を行う。
これにより、すくい側嵌合部３が被せ側嵌合部４の嵌合押圧によって沈み込むことがなく、小さい押圧によって簡単かつ確実に屋根葺き施工することができる。
【００４３】
次に、図７の上部固定金具３０に、屋根板１、１’を嵌合して図３に示すような屋根を施工する方法について説明する。
まず、第１工程では、上部固定金具３０の第２固定部３３’上に、一の嵌合式金属製屋根板１’のすくい側嵌合部３を載置し、次いで、該屋根板１’のすくい側引掛け辺１０を、第２固定部３３’の第２傾斜辺４８に重合するように回わし込みながら落し入れた後、屋根板主板部２を幅方向（左右方向）に回転させると共に、すくい側嵌合部３の頂部を足で踏む等して押圧し、屋根板１’の主板部２が、略水平になるようにすると同時に、すくい側嵌合アゴ部５と、第２固定部３３の第２引掛け辺５０とを、雨水や風の侵入を防止できるように確実に嵌着させる。
【００４４】
第２工程では、他の嵌合式金属製屋根板１を、その被せ側嵌合部４の第１凸部１１と第２凸部１２とが、第１工程後の、前記上部固定金具３０の第１固定部３２’と第２固定部３３’上に位置するように載置し、次に該屋根板１の被せ側第１凸部１１を押し下げて、受金具Ｆの第１固定部３２’に嵌め入れると同時に、被せ側第１嵌合アゴ部１４と、金具第１引掛辺４７とを嵌め合わせる。そして、引き続き、該屋根板１の被せ側第２凸部１２が、第１工程において上部固定金具３０上に嵌着させたすくい側嵌合部３に重合するまで、この屋根板１を回し込む。
【００４５】
次に、第３工程では、すくい側嵌合部３側、即ち上部固定金具３０の第２固定部３３’側にある該被せ側第２凸部１２の、まず内側の被せ側第２立上り辺２０側を、すくい側嵌合部３の傾斜内辺９に沿わせるようにして押し下げた後、外側の被せ側第２嵌合アゴ部２２を押し下げることにより、被せ側嵌合アゴ部２２と、すくい側嵌合アゴ部６および金具第２引掛け辺５０とを嵌め合わせ、上部固定金具３０への屋根板１、１’のすくい側嵌合部３と被せ側嵌合部４との重畳嵌合を果たし、屋根葺を行うことができる。
これにより、すくい側嵌合部３が被せ側嵌合部４の嵌合押圧によって沈み込むことがなく、小さい押圧力によって図３に示すような屋根を簡単かつ確実に施工することができる。
【産業上の利用可能性】
【００４６】
本発明は、一般住宅や学校、ガレージ、工場、倉庫、店舗、集会場、体育館当の屋根葺材として利用することができる。
【図面の簡単な説明】
【００４７】
【図１】（ａ）、（ｂ）は、従来の嵌合式屋根構造の問題点を示す概略図である。
【図２】本発明に係る嵌合式金属製屋根板を示す概略図である。
【図３】本発明に係る嵌合式屋根構造を示す斜視図である。
【図４】本発明に係る嵌合式屋根構造を示す概略図である。
【図５】本発明に係る他の嵌合式屋根構造を示す概略図である。
【図６】本発明に係る嵌合式屋根構造における上部固定金具の一実施形態を示す断面図である。
【図７】本発明に係る嵌合式屋根構造における上部固定金具の一実施形態を示す斜視図である。
【図８】本発明に係る嵌合式屋根構造の施工方法を説明する図である。
【符号の説明】
【００４８】
１、１’    屋根板
２  主板部
３  すくい側嵌合部
４  被せ側嵌合部
５  すくい側立上り部
６  すくい側嵌合アゴ部
７  すくい側傾斜外辺
８  すくい側頂辺
９  すくい側傾斜内辺
１０  すくい側引掛け辺
１１  被せ側第１凸部
１２  被せ側第２凸部
１３  被せ側立上り部
１４  被せ側第１嵌合アゴ部
１５  被せ側第１頂辺
１６  被せ側第１立下り辺
１７  被せ側第１傾斜辺
１８  被せ側中央凹部
１９  被せ側第２傾斜辺
２０  被せ側第２立上り辺
２１  被せ側第２頂辺
２２  被せ側第２嵌合アゴ部
２３  被せ側引掛け辺
２９  ボルト
３０  上部固定金具
３１  下部固定金具
３２、３２’  第１固定部
３３、３３’  第２固定部
３４  主板
３５、４４  金具第１傾斜辺
３６  金具第１アゴ
３７、４５  金具第１立上り辺
３８、４６  金具第１頂辺
３９、４８  金具第２傾斜辺
４０  金具第２アゴ
４１、４９  金具第２立上り辺
４２  金具第２頂辺
４３  主板
４７  金具第１引掛け辺
５０  金具第２引掛け辺
５１  回転防止用突起
５２  隙間
６０、６１、６２、６３  折曲部
６４  ナット
６５  補強フランジ
Ｆ  受金具
ｂ  梁
【図１】
0004938609.tif 000002
【図２】
0004938609.tif 000003
【図３】
0004938609.tif 000004
【図４】
0004938609.tif 000005
【図５】
0004938609.tif 000006
【図６】
0004938609.tif 000007
【図７】
0004938609.tif 000008
【図８】
0004938609.tif 000009